(57)【要約】【課題】簡素な構造であり、容易に操作できる移動体搭載用簡易テーブルを提供する。【解決手段】ベースフレーム１１とテーブルボード１２と、長手方向を有し、長さが可変であると共に任意の長さに保持可能であり、ベースフレーム１１とテーブルボード１２との間に取り付けられるステー１３とを有し、テーブルボード１２は、ステー１３の長さを調整することにより、ベースフレーム１１に対する挟角を調整可能であると共に、ステー１３を任意の長さに保持することにより、ベースフレーム１１に対する挟角を任意の角度に保持可能である、動体搭載用簡易テーブル。【選択図】図１
2019084022.tif 000002
【特許請求の範囲】
【請求項１】
シートバックの背面に取り付けられるベースフレームと、
前記ベースフレームの幅方向に延在する回転軸を中心として回動可能に、前記ベースフレームに取り付けられるテーブルボードと、
長手方向を有し、長さが可変であると共に任意の長さに保持可能であり、前記ベースフレームと前記テーブルボードとの間に取り付けられるステーと、を有し、
前記ステーの一端は、前記ベースフレームの前記幅方向に延在する回転軸を中心として回動可能に、前記ベースフレームに取り付けられ、
前記ステーの他端は、前記ベースフレームの前記幅方向に延在する回転軸を中心として回動可能に、前記テーブルボードに取り付けられ、
前記テーブルボードは、
前記ステーの長さを調整することにより、前記ベースフレームに対する挟角を調整可能であると共に、
前記ステーを任意の長さに保持することにより、前記ベースフレームに対する挟角を任意の角度に保持可能である、移動体搭載用簡易テーブル。
【請求項２】
前記ステーは、
前記ステーの前記一端を含む第１のステー片と、
前記ステーの前記他端を含み、前記第１のステー片に対して前記ステーの長手方向にスライド可能に取り付けられる第２のステー片と、
前記第１のステー片に対する任意のスライド位置に、前記第２のステー片を解除可能に保持するステー長保持機構と、を有する、請求項１に記載の移動体搭載用簡易テーブル。
【請求項３】
前記ステー長保持機構は、
前記ステーの長手方向に沿って、前記第１のステー片に設けられた複数の凹部と、
前記第１のステー片の前記複数の凹部のいずれかに対して挿入／離脱可能に、前記第２のステー片にネジ式で取り付けられ、当該凹部に挿入されたときに該第２のステー片の該第１のステー片に対するスライドを禁止するネジ型スタッドと、を有する、請求項２に記載の移動体搭載用簡易テーブル。
【請求項４】
前記ステー長保持機構は、
前記第１のステー片に前記ステーの長手方向に沿って設けられた複数の凹部と、
前記第１のステー片の前記複数の凹部のいずれかにに対して挿入／離脱可能に、かつ、当該挿入方向に付勢された状態で前記第２のステー片に取り付けられ、当該凹部に挿入されたときに該第２のステー片の該第１のステー片に対するスライドを禁止する付勢スタッドと、
リリース操作に応じて前記付勢スタッドに対する付勢を解除するリリースツマミと、を有する、請求項２に記載の移動体搭載用簡易テーブル。
【請求項５】
前記ステーは、前記テーブルボードの幅方向の中心付近に単数設けられている、請求項１〜４のいずれか一項に記載の移動体搭載用簡易テーブル。
【請求項６】
前記ステーは、前記テーブルボードの幅方向の両端付近に一対設けられている、請求項１〜４のいずれか一項に記載の移動体搭載用簡易テーブル。
【請求項７】
前記ステーは、前記テーブルボードの前記ベースフレームに対する挟角が少なくとも０度または１８０度となる長さを含む範囲で、長さが可変である、請求項１〜６のいずれか一項に記載の移動体搭載用簡易テーブル。
【請求項８】
前記テーブルボードは、
載置物拘束ベルトと、
前記ベースフレームの前記幅方向に前記載置物拘束ベルトが延在するように該載置物拘束ベルトを挿通させるベルト通しと、を有する、請求項１〜７のいずれか一項に記載の移動体搭載用簡易テーブル。
【請求項９】
前記ベースフレームは、その上方部に設けられ、シートバックに挿入されるヘッドレストの対のシャフトを挿通させる孔付きの吊掛部材を有する、請求項１〜８のいずれか一項に記載の移動体搭載用簡易テーブル。
【請求項１０】
前記吊掛部材は、前記ベースフレームの前記幅方向に延在する回転軸を中心として回動可能に、前記ベースフレームに取り付けられている、請求項９に記載の移動体搭載用簡易テーブル。
【発明の詳細な説明】
【技術分野】
【０００１】
本発明は、移動体搭載用簡易テーブルに関する。
【背景技術】
【０００２】
この種の移動体搭載用簡易テーブルは、自動車等の有人移動体の前席のシートバックや、ステアリングホイールに装着され、ノート型パーソナルコンピュータや飲食物等を載置するために使用される。
【０００３】
移動体搭載用簡易テーブルの装着先の１つであるシートバックは、リクライニング角度を調整可能であることが多い。一方、移動体搭載用簡易テーブルのテーブルボードは、載置物が落下しないように、水平、もしくは、移動体の後方に向かって高位となるように傾斜していることが必要である。このため、移動体搭載用簡易テーブルは、シートバックのリクライニング角度に応じてテーブルボードの角度を調整可能であることが望まれる。
【０００４】
特許文献１、２には、移動体搭載用簡易テーブルの類として、シートバックのリクライニング角度に応じてテーブルボードの角度を調整可能なシートバックテーブルが開示されている。
【先行技術文献】
【特許文献】
【０００５】
【特許文献１】特開２００４−０９８９９９号公報
【特許文献２】実開昭６３−１７６８３０号公報
【発明の概要】
【発明が解決しようとする課題】
【０００６】
特許文献１、２に開示されたシートバックテーブルは、シートバックのリクライニング角度に応じてテーブルボードの角度を調整可能である。しかし、テーブルボードの角度調整のための構造が複雑であり、また、テーブルボードの角度調整の操作方法が煩雑である。
【０００７】
本発明は、上記の事情に鑑みてなされたものであり、簡素な構造であり、容易に操作できる移動体搭載用簡易テーブルを提供することを目的としている。
【課題を解決するための手段】
【０００８】
本発明によれば、シートバックの背面に取り付けられるベースフレームと、前記ベースフレームの幅方向に延在する回転軸を中心として回動可能に、前記ベースフレームに取り付けられるテーブルボードと、長手方向を有し、長さが可変であると共に任意の長さに保持可能であり、前記ベースフレームと前記テーブルボードとの間に取り付けられるステー、を有し、前記ステーの一端は、前記ベースフレームの前記幅方向に延在する回転軸を中心として回動可能に、前記ベースフレームに取り付けられ、前記ステーの他端は、前記ベースフレームの前記幅方向に延在する回転軸を中心として回動可能に、前記テーブルボードに取り付けられ、前記テーブルボードは、前記ステーの長さを調整することにより、前記ベースフレームに対する挟角を調整可能であると共に、前記ステーを任意の長さに保持することにより、前記ベースフレームに対する挟角を任意の角度に保持可能である、移動体搭載用簡易テーブルが得られる。
【発明の効果】
【０００９】
本発明による移動体搭載用簡易テーブルは、簡素な構造であり、容易に操作できる。
【図面の簡単な説明】
【００１０】
【図１】本発明の第１の実施形態による移動体搭載用簡易テーブルの側面図である。
【図２】本発明の第１の実施形態による移動体搭載用簡易テーブルの斜視図である。
【図３】本発明の第１の実施形態による移動体搭載用簡易テーブルの、テーブルボードを折り畳んだ状態の、側面図である。
【図４】本発明の第２の実施形態による移動体搭載用簡易テーブルの側面図である。
【図５】本発明の第２の実施形態による移動体搭載用簡易テーブルの斜視図である。
【発明を実施するための形態】
【００１１】
以下、図面を参照して、本発明による移動体搭載用簡易テーブルを説明する。
【００１２】
図中、符号Ｗはベースフレームの幅方向を示し、符号Ｈはベースフレームの高さ方向を示し、符号Ｄはベースフレームの奥行方向を示し、符号αは、ベースフレームとテーブルボードとの挟角を示している。
【００１３】
［第１の実施形態］
図１〜図３を参照すると、本発明の第１の実施形態による移動体搭載用簡易テーブルは、複数列の座席を有する自動車の前席のシートバックＳＢに搭載され、後席に着席する者が使用する簡易テーブルであり、ベースフレーム１１と、テーブルボード１２と、ステー１３とを有している。
【００１４】
ベースフレーム１１は、シートバックＳＢの背面に取り付けられる。
【００１５】
テーブルボード１２は、ベースフレーム１１の幅方向Ｗに延在する回転軸を中心として回動可能に、ベースフレーム１１に取り付けられる。
【００１６】
ステー１３は、長手方向を有し、長さが可変であると共に任意の長さに保持可能であり、ベースフレーム１１とテーブルボード１２との間に取り付けられる。
【００１７】
テーブルボード１２は、ステー１３の長さを調整することにより、ベースフレーム１１に対する挟角を調整可能であると共に、ステー１３を任意の長さに保持することにより、ベースフレーム１１に対する挟角を任意の角度に保持可能である。
【００１８】
ステー１３の一端は、ベースフレーム１１の幅方向Ｗに延在する回転軸を中心として回動可能に、ベースフレーム１１に取り付けられている。ステー１３の他端は、ベースフレーム１１の幅方向Ｗに延在する回転軸を中心として回動可能に、テーブルボード１２に取り付けられている。
【００１９】
ステー１３は、ステー１３の一端を含む第１のステー片１３１と、ステー１３の他端を含み、第１のステー片１３１に対してステー１３の長手方向にスライド可能に取り付けられる第２のステー片１３２と、第１のステー片１３１に対する任意のスライド位置に、第２のステー片１３２を解除可能に保持するステー長保持機構とを有している。
【００２０】
ステー長保持機構は、第１のステー片１３１にステー１３の長手方向に沿って設けられた複数の凹部と、第１のステー片１３１の複数の凹部のいずれかにに対して挿入／離脱可能に、かつ、挿入方向に付勢された状態で第２のステー片１３２に取り付けられ、凹部に挿入されたときに第２のステー片１３２の第１のステー片１３１に対するスライドを禁止する付勢スタッドと、リリース操作に応じて付勢スタッドに対する付勢を解除するリリースツマミ１３３とを有している。
【００２１】
本発明の第１および第２の実施形態においては、ステーとして既製品を利用した（タキゲン製造株式会社製Ｂ−１４７０）。
【００２２】
尚、ステー長保持機構は、ステー１３の長手方向に沿って、第１のステー片１３１に設けられた複数の凹部と、第１のステー片１３１の複数の凹部のいずれかに対して挿入／離脱可能に、第２のステー片１３２にネジ式で取り付けられ、凹部に挿入されたときに第２のステー片１３２の第１のステー片１３１に対するスライドを禁止するネジ型スタッドとを有するものであってもよい。
【００２３】
本実施形態において、ステー１３は、テーブルボード１２の幅方向Ｗの中心付近に単数設けられている。尚、本発明において、ステーは、テーブルボードの幅方向の両端付近に一対設けられていてもよい。
【００２４】
図３に示すように、ステー１３は、テーブルボード１２のベースフレーム１１に対する挟角が０度または１８０度となる長さを含む範囲で、長さが可変である。尚、本発明において、ステーは、テーブルボードのベースフレームに対する挟角が約０度または約１８０度となる長さを含む範囲で、長さが可変であってもよい。
【００２５】
テーブルボード１２は、載置物拘束ベルト（図示せず）と、ベースフレーム１１の幅方向Ｗに載置物拘束ベルトが延在するように載置物拘束ベルトを挿通させるベルト通し１２４とを有している。テーブルボード１２に例えばノート型パーソナルコンピュータ等の載置物を載置し、移動物拘束ベルトによって拘束することにより、移動体が移動して載置物に加速度が加わったとしても、載置物がずれたり、落下することがない。尚、載置物がノート型パーソナルコンピュータである場合には、ノート型パーソナルコンピュータのキーボードとディスプレイの間に載置物拘束ベルトをあてがい、拘束する。
【００２６】
ベースフレーム１１は、その上方部に設けられ、シートバックＳＢに挿入されるヘッドレストＨＲの対のシャフトを挿通させる孔部１１２ｓ付きの吊掛部材１１２と、取付ベルト１１６と、ベースフレーム１１の下方部に設けられ、幅方向Ｗに取付ベルト１１６が延在するように取付ベルト１１６を挿通させるベルト通し１１４とを有している。
【００２７】
吊掛部材１１２は、ベースフレーム１１の幅方向Ｗに延在する回転軸を中心として回動可能にベースフレーム１１に取り付けられている。
【００２８】
尚、孔部１１２ｓは、本テーブルの搭載が想定されるヘッドレストＨＲの対のシャフトの間隔を考慮した寸法の長孔である。
【００２９】
テーブルの搭載に際しては、一旦、ヘッドレストＨＲを抜去し、吊掛部材１１２を挟んだ上でヘッドレストＨＲを戻す。その後、取付ベルト１１６をシートバックＳＢの下方部に巻き付け、締結する。
【００３０】
本テーブルを使用する際は、ステー１３のリリースツマミ１３３を操作してステーの伸縮を自由にした上で、テーブルボード１２が水平または移動体の後方に向かって僅かに高位となるように、ステー１３のシートバックＳＢのリクライニング角度に応じてステー１３の長さを調整し、テーブルボード１２が適宜の角度になったところでリリースツマミ１３３を操作を終了してしてステー１３の長さを保持する。
【００３１】
以上のように、本発明の第１の実施形態による移動体搭載用簡易テーブルは、簡素な構造であり、容易に操作できる。
【００３２】
［第２の実施形態］
本発明の第２の実施形態は、前席のシートバックに代えてステアリングホイールに搭載する点で、第１の実施形態と異なっている。
【００３３】
尚、本発明に係る移動体搭載用簡易テーブルがステアリングホイールに搭載される場合には、特許請求の範囲等の記載において、「シートバック」を「ステアリングホイール」に読み替え、「シートバックの背面」を「ステアリングホイールの正面」に読み替え、「シートバックに挿入されるヘッドレストの対のシャフト」を「ステアリングホイールの上部」に読み替える。
【００３４】
図４および図５を参照すると、本発明の第２の実施形態による移動体搭載用簡易テーブルは、自動車の停車時にステアリングホイールＳＷに搭載され、運転席に着席する者が使用する簡易テーブルであり、ベースフレーム３１と、テーブルボード３２と、ステー３３とを有している。
【００３５】
ベースフレーム３１は、ステアリングホイールの正面に取り付けられる。
【００３６】
テーブルボード３２は、ベースフレーム３１の幅方向Ｗに延在する回転軸を中心として回動可能に、ベースフレーム３１に取り付けられる。
【００３７】
ステー３３は、長手方向を有し、長さが可変であると共に任意の長さに保持可能であり、ベースフレーム３１とテーブルボード３２との間に取り付けられる。
【００３８】
テーブルボード３２は、ステー３３の長さを調整することにより、ベースフレーム３１に対する挟角を調整可能であると共に、ステー３３を任意の長さに保持することにより、ベースフレーム３１に対する挟角を任意の角度に保持可能である。
【００３９】
ステー３３の一端は、ベースフレーム３１の幅方向Ｗに延在する回転軸を中心として回動可能に、ベースフレーム３１に取り付けられている。ステー３３の他端は、ベースフレーム３１の幅方向Ｗに延在する回転軸を中心として回動可能に、テーブルボード３２に取り付けられている。
【００４０】
ステー３３は、ステー３３の一端を含む第１のステー片３３１と、ステー３３の他端を含み、第１のステー片３３１に対してステー３３の長手方向にスライド可能に取り付けられる第２のステー片３３２と、第１のステー片３３１に対する任意のスライド位置に、第２のステー片３３２を解除可能に保持するステー長保持機構とを有している。
【００４１】
ステー長保持機構は、第１のステー片３３１にステー３３の長手方向に沿って設けられた複数の凹部と、第１のステー片３３１の複数の凹部のいずれかにに対して挿入／離脱可能に、かつ、挿入方向に付勢された状態で第２のステー片３３２に取り付けられ、凹部に挿入されたときに第２のステー片３３２の第１のステー片３３１に対するスライドを禁止する付勢スタッドと、リリース操作に応じて付勢スタッドに対する付勢を解除するリリースツマミ３３３とを有している。
【００４２】
本発明の第１および第２の実施形態においては、ステーとして既製品を利用した（タキゲン製造株式会社製Ｂ−１４７０）。
【００４３】
尚、ステー長保持機構は、ステー３３の長手方向に沿って、第１のステー片３３１に設けられた複数の凹部と、第１のステー片３３１の複数の凹部のいずれかに対して挿入／離脱可能に、第２のステー片３３２にネジ式で取り付けられ、凹部に挿入されたときに第２のステー片３３２の第１のステー片３３１に対するスライドを禁止するネジ型スタッドとを有するものであってもよい。
【００４４】
本実施形態において、ステー３３は、テーブルボード３２の幅方向の両端付近に一対設けられている。
【００４５】
図示はしないが、ステー３３は、テーブルボード３２のベースフレーム３１に対する挟角が約０度または約１８０度となる長さを含む範囲で、長さが可変であってもよい。
【００４６】
ベースフレーム３１は、その上方部に設けられ、ステアリングホイールＳＷの上部を挿通させる孔部３１２ｓ付きの吊掛部材３１２を有している。
【００４７】
吊掛部材３１２は、ベースフレーム３１の幅方向Ｗに延在する回転軸を中心として回動可能にベースフレーム３１に取り付けられている。
【００４８】
尚、孔部３１２ｓは、本テーブルの搭載が想定されるステアリングホイールＳＷの上部の寸法を考慮した寸法の長孔である。
【００４９】
本テーブルを使用する際は、ステー３３のリリースツマミ３３３を操作してステーの伸縮を自由にした上で、テーブルボード３２が水平または移動体の後方に向かって僅かに高位となるように、ステー３３のシートバックＳＢのリクライニング角度に応じてステー３３の長さを調整し、テーブルボード３２が適宜の角度になったところでリリースツマミ３３３を操作を終了してしてステー３３の長さを保持する。
【００５０】
以上のように、本発明の第２の実施形態による移動体搭載用簡易テーブルも、簡素な構造であり、容易に操作できる。
【符号の説明】
【００５１】
１１、３１      ベースフレーム
１１２、３１２    吊掛部材
１１２ｓ、３１２ｓ  孔部
１１４    ベルト通し
１１６    取付ベルト
１２、３２      テーブルボード
１２４    ベルト通し
１３、３３      ステー
１３１、３３１    第１のステー片
１３２、３３２    第２のステー片
１３３、３３３    リリースツマミ
ＨＲ      ヘッドレスト
ＳＢ      シートバック
ＳＷ      ステアリングホイール
【図１】
2019084022.tif 000003
【図２】
2019084022.tif 000004
【図３】
2019084022.tif 000005
【図４】
2019084022.tif 000006
【図５】
2019084022.tif 000007